(57)【要約】【課題】  携帯用プレッシャーチャンバー装置のプレッシャーチャンバーを構成する部材をチタンまたはチタン合金製とすることによりプレッシャーチャンバーの耐圧性と軽量化を図ると共に、計測するのに必要最小限量の圧力気体量とするため、プレッシャーチャンバーの平面断面形状を楕円形状とし、更にプレッシャーチャンバーの内壁面に付設物又は充填物を設けた携帯用プレッシャーチャンバー装置を提供する。【解決手段】  プレッシャーチャンバーと圧力計と流量調整弁と携帯式圧力気体源とからなる携帯用プレッシャーチャンバー装置のプレッシャーチャンバーを水平断面形状を楕円形状の筒体とすると共に、該筒体と、上面に取付けたスリーブ内に試料体密封挟持部を設けた蓋体と、プレッシャーチャンバーの底板とをチタン合金で構成し、プレッシャーチャンバー側壁の両内壁面に膨出部を形成する。【選択図】  図１
2008122221.tif 000002
【特許請求の範囲】
【請求項１】
プレッシャーチャンバーと圧力計と流量調整弁と携帯式圧力気体源とからなる携帯用プレッシャーチャンバー装置において、プレッシャーチャンバーを水平断面形状が楕円形状の筒体とし、プレッシャーチャンバーの下部にクイックカップラーに接続した楕円形状の底板を取付け、プレッシャーチャンバーの上部外周縁に形成した楕円形状の一対のフランジ、蓋体の縁部とを抱持締付具で密封抱持し、該蓋体の上面に取付けたスリーブ内に試料体密封挟持部を設け、これらプレッシャーチャンバー側壁、底板及び蓋体からなるプレッシャーチャンバーをチタンあるいはチタン合金で構成し、プレッシャーチャンバーと圧力計とをクイックカップラーを介して接続し、圧力計と流量調整弁と携帯式圧力気体源との間を配管で接続したことを特徴とする携帯用プレッシャーチャンバー装置。
【請求項２】
前記プレッシャーチャンバー側壁の両内壁面に膨出部を形成したことを特徴とする請求項１に記載の携帯用プレッシャーチャンバー装置。
【請求項３】
前記プレッシャーチャンバー側壁の両内壁面に複数本の凸条体を形成したことを特徴とする請求項１に記載の携帯用プレッシャーチャンバー装置。
【請求項４】
前記プレッシャーチャンバー側壁の両内壁面のそれぞれに一対の係止片を形成すると共に該一対の係止片の間に膨出体を取外し自在に係止したことを特徴とする請求項１に記載の携帯用プレッシャーチャンバー装置。
【請求項５】
前記膨出体は、中空体であることを特徴とする請求項４に記載の携帯用プレッシャーチャンバー装置。
【発明の詳細な説明】
【技術分野】
【０００１】
本発明は、植物の葉や茎の水分状態である水ポテンシャルを計測する水分計に関する携帯用プレッシャーチャンバー装置である。
【背景技術】
【０００２】
植物は、葉の中で葉の表面にある気孔から取り込んだ二酸化炭素と、根から吸い上げた水と、光とで光合成をしている。葉の表面にある気孔は、大気中の二酸化炭素を取り込むと共に、蒸散作用として気孔からの水分放出がある。このとき、土壌が乾燥気味であったり、根部から茎部、葉部への水の輸送に携わる導管に病気などで支障があって、根から供給される水の量が減少すると、植物は強い水ストレスを受けることになり、萎れたり場合によっては病気になることがある。この水ストレス程度は、水ポテンシャルと云う値で知ることができ、植物の水分状態を計測する水分計としてプレッシャーチャンバー法が提案されている。
【０００３】
このプレッシャーチャンバー法は、例えば、植物の毛管導管中に存在する水を押し出すのに要する圧力を計測するもので、葉などを耐圧容器に入れて圧力を徐々に掛け、耐圧容器の外に出しておいた葉の茎の切り口から葉の中の水が滲出してきたときの圧力を水ポテンシャルとするもので、植物の導管中の水を動かすのにどのぐらいの圧力が要るかというのを計測するものである。計測する葉の茎の部分をシールして耐圧容器の外に出すと共に葉を耐圧容器の中に入れ、この耐圧容器の中に気体を徐々に圧力を高めながら入れる。すると、水分をよく含んでいるものは、耐圧容器の外に出ている葉の茎先から水分が滲出し、やや乾燥気味のものであれば、より圧力空気の圧を高めると、耐圧容器の外に出ている葉の茎先から水分が滲出してくる。この耐圧容器の外に出ている葉の茎先から水分が滲出してくるときに加えた圧力空気の圧を計測することで、植物試料体中の水分の含み具合を知ることができる。
【０００４】
非特許文献１には、図８は、従来公知の携帯用プレッシャーチャンバー装置Ｂの外観写真で、図９は図８に示す従来公知の携帯用プレッシャーチャンバー装置Ｂの配置図であって、この携帯用プレッシャーチャンバー装置Ｂは、プレッシャーチャンバー５０と圧力計５１と流量調整弁５２と、これらを連結する導管５４と図示されていないが、流量調整弁５２の圧気源接続口５３に接続されるボンベなどの圧気源とで構成されている。符号７０は、圧気源接続口５３とプレッシャーチャンバー５０との接続、あるいは圧気放出弁５６とプレッシャーチャンバー５０との接続を切り替える三方弁、符号５６はプレッシャーチャンバー５０内に充填された圧気を大気中に放出するための圧気放出弁である。従来公知の携帯用プレッシャーチャンバー装置Ｂでは、プレッシャーチャンバー５０に取り付ける円板状の蓋体６０がプレッシャーチャンバー５０と脱着できる以外は、すべてのパーツが強固に固定されて一体化している。
【０００５】
プレッシャーチャンバー５０は円筒体で、円筒上部には円板状の蓋体６０を止める突出部７１が付いていると共に、下部側面には圧気を送る金属管５４とプレッシャーチャンバー５０とを締結するネジ締結部７２が付いており、このネジ締結部７２を通じてプレッシャーチャンバー５０内にボンベなどの圧気源から圧力気体が供給される。プレッシャーチャンバー５０は胴体部と底部とは一体となっている。プレッシャーチャンバー５０の上部には、蓋体６０を止める突出部７５とプレッシャーチャンバー５０の突出部７１を螺入することにより固定されており、蓋体６０の上面にはネジ部が形成されたスリーブ６３が取り付けられており、蓋体６０の下面には試料体６８の茎部６７を突出するための孔６９が空けられた円柱体７３が取り付けられている。円柱体７３にはゴム製Ｏリングが取り付けられており、蓋体６０とプレッシャーチャンバー５０とを固定する際に、ゴム製Ｏリング７４によりプレッシャーチャンバー５０内が密閉した状態にできる。
【０００６】
円板状の蓋体６０の上面には、該孔６９を囲んで円筒状のスリーブ６３が取付けられ、このスリーブ６３内にソロバン玉形状で中央部に前記孔６９と同様の孔を有する軟質ゴム又は軟質樹脂製のシールパッキン６５と、このシールパッキン６５の上にスペーサー６２とスラストワッシャー６４がセットされる。また、蓋体６０の中央部に前記孔６９と同位置に孔を有すると共に外周面にネジ部を形成した円筒状の突出部７６を有する押さえ具６６が、スリーブ６３の内周面に形成されたネジ部と螺合され、押さえ具６６を回転することにより、軟質ゴム又は軟質樹脂製のシールパッキン６５を押圧する。これらスリーブ６３の内部のシールパッキン６５とスペーサー６２とスラストワッシャー６４と円筒状の突出部を有する押さえ具６６とで試料体密封挟持部を構成している。
【０００７】
このように構成された従来公知の携帯用プレッシャーチャンバー装置Ｂの使用方法について説明すると、図９のように、圧気源接続口５３にボンベなどの圧気源を接続する。次に、プレッシャーチャンバー５０から蓋体６０を外し、蓋体６０の上面に取付けられたスリーブ６３内にソロバン玉形状の軟質ゴム又は軟質樹脂製のシールパッキン６５、スペーサー６２、スラストワッシャー６４をセットし、これらの中央部に形成された孔に水ポテンシャル値を計測しようとする試料体６８（例えば、植物体の葉）の茎部６７を挿通して突出させ、更に、この突出した試料体６８の茎部６７を押さえ具６６の円筒状の突出部７６に形成された孔に挿通すると共に、押さえ具６６の円筒状の突出部７６の外周面に形成したネジ部をスリーブ６３の内周面に形成されたネジ部と合わせ、押さえ具６６の円筒状の突出部７６を回転させながらスリーブ６３内に螺入させる。
【０００８】
押さえ具６６の円筒状の突出部７６をスリーブ６３内に螺入すると、スリーブ６３内のソロバン玉形状の軟質ゴム又は軟質樹脂製のシールパッキン６５は、蓋体６０の上面と押さえ具６６の円筒状の突出部７６により押し込まれるスラストワッシャー６４、スペーサー６２との間で押潰され、ソロバン玉形状の軟質ゴム又は軟質樹脂製のシールパッキン６５の外周はスリーブ６３の内周面に密接し、シールパッキン６５の孔に挿入されている試料体６８の茎部６７の周りに密接する。蓋体６０の突出部７５をプレッシャーチャンバー５０の突出部７１に螺入して蓋体６０をプレッシャーチャンバー５０に固定すると共に、ゴム製Ｏリング７４をプレッシャーチャンバー５０内壁に密着させ、プレッシャーチャンバー５０を完全に密封した状態にする。
【０００９】
このようにプレッシャーチャンバー５０内を密封状態にした後、圧気源接続口５３にボンベなどの圧気源を接続し、流量調整弁５２を調整しながら開けてプレッシャーチャンバー５０内に圧力気体を徐々に注入する。そして、プレッシャーチャンバー５０内に圧力気体を徐々に注入してプレッシャーチャンバー５０内を加圧していくと、プレッシャーチャンバー５０内がある圧力になったときに、プレッシャーチャンバー５０から突出した試料体６８の茎部６７の先端の切り口から試料体６８の毛細導管内にある水分が滲出してくる。この試料体６８の茎部６７の茎先から水が滲出してくる。この試料体６８の茎部６７の茎先から水が滲出した瞬間の圧力を圧力計５１で読取り、この圧力値を水ポテンシャルとするものである。試料体６８の計測後は、プレッシャーチャンバー５０に連結した導管５５の圧気放出弁５６によりプレッシャーチャンバー５０内の圧力気体を開放する。
【００１０】
このように、非特許文献１に開示された従来公知の携帯用プレッシャーチャンバー装置Ｂでは、プレッシャーチャンバー５０内部に収納した葉などに比較的高圧な圧力（通常で大気圧の１５〜２０倍）をかけることから、この圧力に耐える必要と軽量化を図るため材質はアルミ製であるが、軽量化されているとはいえプレッシャーチャンバー５０自体の重量は６Ｋｇとなっている。更に、この重量の他に、圧力計や流量調整弁や導管、圧気供給源としてのボンベ等の重量が加わることになる。
【００１１】
植物体の水ポテンシャルを計測するために、植物体の試料体である葉や茎などを研究室等に持ち帰って計測するのでは、計測までに時間を要し試料体が萎れてしまう恐れがあり、試料体となる植物が植生しているその現場で試料体を採取して直ちに計測、所謂オンサイトでの作業が必要である。このため、軽量で携帯性に富んだ計測装置の出現が望まれている。特に、徒歩による作業がなされることが多い山地での計測作業では、重量ある計測装置を携帯しながらの作業は大きな労力を要している。
【００１２】
また、従来公知の携帯用プレッシャーチャンバー装置Ｂでは、試料体である葉を収容するプレッシャーチャンバー５０は、円筒体で計測する試料体、例えば、葉に対して容器の内容積が大きいことから計測に多くの圧力気体量を必要としている。特に、この植物体の水ポテンシャルの計測作業は野外で行われることから、国内においても、海外においても、圧気供給源としてのボンベを手に入れるのが難しく、圧気供給源のボンベの供給補充が受けられない場合のため、多くの予備の圧気供給源としてのボンベを準備しなければならない。海外での野外作業では、入手が特に困難である。
【００１３】
【非特許文献１】高畑義啓、（生物被害研究グループ）、森の病気を探る（３）「水ポテンシャルの測定による水ストレスの評価」、森林総合研究所関西支所研究情報、Ｎｏ.７０（Ｎｏｖ．２００３  ｐ.４ａ）
【発明の開示】
【発明が解決しようとする課題】
【００１４】
そこで、本発明の携帯用プレッシャーチャンバー装置は、前記課題によりなされたもので、プレッシャーチャンバーを構成する部材をチタン合金製とすることによりプレッシャーチャンバーの耐圧性と軽量化を図ると共に、試料体の水ポテンシャルを計測するのに必要最小限量の圧力気体量とするため、プレッシャーチャンバーの平面断面形状を小径の楕円形状とし、更にプレッシャーチャンバーの内壁面に凸条体などの付設物又は充填物を設けた携帯用プレッシャーチャンバー装置を提供することを目的とするものである。
【課題を解決するための手段】
【００１５】
上記目的を達成するため、本発明の請求項１に記載の発明は、プレッシャーチャンバーと圧力計と流量調整弁と携帯式圧力気体源とからなる携帯用プレッシャーチャンバー装置において、プレッシャーチャンバーを水平断面形状が楕円形状の筒体とし、プレッシャーチャンバーの下部にクイックカップラーに接続した楕円形状の底板を取付け、プレッシャーチャンバーの上部外周縁に形成した楕円形状の一対のフランジ、蓋体の縁部とを抱持締付具で密封抱持し、該蓋体の上面に取付けたスリーブ内に試料体密封挟持部を設け、これらプレッシャーチャンバー側壁、底板及び蓋体からなるプレッシャーチャンバーをチタンあるいはチタン合金で構成し、プレッシャーチャンバーと圧力計とをクイックカップラーを介して接続し、圧力計と流量調整弁と携帯式圧力気体源との間を配管で接続したことを特徴とするものである。また、上記目的を達成するため、本発明の請求項２に記載の発明は、プレッシャーチャンバー側壁の両内壁面に膨出部を形成したことを特徴とするものである。また、上記目的を達成するため、本発明の請求項３に記載の発明は、プレッシャーチャンバー側壁の両内壁面に複数本の凸条体を形成したことを特徴とするものである。また、上記目的を達成するため、本発明の請求項４、５に記載の発明は、プレッシャーチャンバー側壁の両内壁面のそれぞれに一対の係止片を形成すると共に該一対の係止片の間に膨出体を取外し自在に係止すると共に、該膨出体を中空体としたことを特徴とするものである。
【発明の効果】
【００１６】
本発明の請求項１に記載の発明は、携帯用プレッシャーチャンバー装置のプレッシャーチャンバーをチタンあるいはチタン合金製とすることにより、プレッシャーチャンバーの耐圧性と軽量化を図ると共に、プレッシャーチャンバーの平面断面形状を楕円形状とすることにより、試料体の水ポテンシャルを計測するのに必要最小限量の圧力気体量とすることができる、との効果がある。また、本発明の請求項２、３に記載の発明は、更に、プレッシャーチャンバーの内壁面に膨出部や複数の凸条体を形成することにより、試料体の大きさに対応して圧力気体の量を加減することができる、との効果がある。また、本発明の請求項４、５に記載の発明は、更に、プレッシャーチャンバーの内壁面に一対の係止体を形成し、この向かい合う一対の係止体の間に膨出体を挟んで係止することにより、試料体の大きさに対応して使用する圧力気体の量を加減することができる、との効果がある。また、係止する膨出体を中空体とすることによりプレッシャーチャンバーの重量をより軽量とすることができる。
【発明を実施するための最良の形態】
【００１７】
本発明の携帯用プレッシャーチャンバー装置は、プレッシャーチャンバーをチタンあるいはチタン合金製とすると共に、プレッシャーチャンバーの平面形状を楕円形とし、更に、プレッシャーチャンバーの内部に充填物を付設又は付加することにより、プレッシャーチャンバーの軽量化と耐圧性の向上を図ると共にプレッシャーチャンバーの内容積を小さくし、使用する圧力気体量の削減することが実現した。
【実施例１】
【００１８】
以下、本発明の実施の態様を図１〜８により説明する。図１は、本発明の携帯用プレッシャーチャンバー装置の配置図で、図２は、本発明のプレッシャーチャンバーの模式断面図で、図２（Ａ）はプレッシャーチャンバーの水平断面図で、図２（Ｂ）はプレッシャーチャンバーの縦断面図で、図３は、本発明のプレッシャーチャンバーの上端と蓋体との締結具の平面図で、図４は、プレッシャーチャンバーの蓋上面に取付けられるスリーブ、シールパッキン、スペーサー、スラストワッシャーの側面図で、図５は、押さえ具の模式断面図で、図５（Ａ）は押さえ具の平面図で、図５（Ｂ）は押さえ具の縦断面図で、図６は本発明の第２実施例のプレッシャーチャンバーの水平断面図で、図７は、本発明の第３実施例のプレッシャーチャンバーの水平断面図である。
【００１９】
図１の符号Ａは、本発明の携帯用プレッシャーチャンバー装置であり、図９に示した従来公知の携帯用プレッシャーチャンバー装置Ｂと同様、プレッシャーチャンバーと圧力計２と流量調整弁３と、これらを連結する導管５、導管５、導管６と、図示されていないが、流量調整弁３の圧気源接続口４に接続されるボンベなどの圧力気体源とで構成されている。符号７はプレッシャーチャンバー内に充填された圧気を大気中に放出するための圧気放出弁で、符号８は、プレッシャーチャンバー１と導管６とを接続するクイックカップラーである。
【００２０】
プレッシャーチャンバー１は、チタンあるいはチタン合金製で水平断面が楕円形状の筒体で、プレッシャーチャンバー１の下部にはチタンあるいはチタン合金製で楕円形状の底板９が密封状態で取付けられており、この底板９には、クイックカップラー８の一方が取付けられており、このクイックカップラー８を通してプレッシャーチャンバー１内にボンベなどの圧力気体源から圧力空気が供給されるようになっている。また、水平断面が楕円形状のプレッシャーチャンバー１の上部外周縁には外側に張出すフランジ１２が形成されている。この水平断面が楕円形状のプレッシャーチャンバー１の外側方に張出すフランジ１２と合致する形状でチタンあるいはチタン合金製の蓋体フランジ１５を有する楕円形状の蓋体１４が、抱持締付具であるクランプバンド１６によってプレッシャーチャンバー１に被嵌密封している。この楕円形状の蓋体１４の中央部には、試料体の茎部を突出するための孔１１が形成されている。
【００２１】
抱持締付具であるクランプバンド１６は、プレッシャーチャンバー１の上部外周縁に形成されたフランジ１２や蓋体１４の蓋体フランジ１５に合致した楕円形状の押さえ体２４、２４の一端をピン２３で枢支し、一方の押さえ体２４の他端にボルトとナットとからなる締結具２６をピン２５で回動自在に設け、他方の押さえ体２４の他端に締結具２６のボルトを受入れるＵ字開口を設けている。曲線形状の押さえ体２４は、内側壁にＵ字溝が形成されており、プレッシャーチャンバー１の上部外周縁に形成されたフランジ１２に蓋体１４の蓋体フランジ１５を載せ、抱持締付具であるクランプバンド１６の両曲線形状の押さえ体２４のＵ字溝をそれぞれのフランジ１２と蓋体フランジ１５に外側から被せて、一方の押さえ体２４の他端に設けた締結具２６を回動して他方の押さえ体２４の他端に設けたＵ字開口に嵌めナットを回して締め付け、押さえ体２４の内側壁のＵ字溝の上下の張出片でプレッシャーチャンバー１のフランジ１２の下部と蓋体１４の蓋体フランジ１５の上部とを押圧してプレッシャーチャンバー１を蓋体１４で密閉する。
【００２２】
蓋体１４の上面に、前記孔１１を囲む円筒状のスリーブ１７が取付けられ、このスリーブ１７内にソロバン玉形状で中央部に試料体の茎部が通る孔２１を有する軟質ゴム又は軟質樹脂製のシールパッキン１９と、このシールパッキン１９の上にスペーサー２２とスラストワッシャー１８がセットされている。これらスペーサー２２とスラストワッシャー１８の中央部に試料体の茎部が通る孔が設けられている。また、蓋体１４の中央部に前記孔１１と同位置に孔を有すると共に外周面にネジ部を形成した円筒状の突出部を有する押さえ具２０が、スリーブ１７の内周面に形成されたネジ部と螺合され、押さえ具２０を回転することにより、軟質ゴム又は軟質樹脂製のシールパッキン１９を押圧するようになっている。これらスリーブ１７の内部のシールパッキン１９とスペーサー２２とスラストワッシャー１８と円筒状の突出部を有する押さえ具２０とで試料体密封挟持部を構成している。
【００２３】
このように構成された本発明の携帯用プレッシャーチャンバー装置Ａの使用方法について説明する。図９の従来公知の携帯用プレッシャーチャンバー装置Ｂと同様、圧気源接続口４にボンベなどの圧気源を接続し、クイックカップラー８を介して導管６とプレッシャーチャンバー１を接続してセットする。次に、プレッシャーチャンバー１から蓋体１４を外し、蓋体１４の上面に取付けられたスリーブ１７にソロバン玉形状の軟質ゴム又は軟質樹脂製のシールパッキン１９、スペーサー２２、スラストワッシャー１８をセットし、これらの中央部に形成された孔に水ポテンシャル値を計測しようとする試料体（例えば、植物体の葉）の茎部を挿通して突出させ、更に、この突出した試料体の茎部を押さえ具２０の円筒状の突出部に形成された孔に挿通すると共に、押さえ具２０の円筒状の突出部の外周面に形成したネジ部をスリーブ１７の内周面に形成されたネジ部と合わせ、押さえ具２０の円筒状の突出部を回転させながらスリーブ１７内に螺入させる。
【００２４】
試料体密封挟持部を構成する押さえ具２０の円筒状の突出部をスリーブ１７内に螺入すると、スリーブ１７内のソロバン玉形状の軟質ゴム又は軟質樹脂製のシールパッキン１９は、蓋体１４の上面と押さえ具２０の円筒状の突出部により押し込まれるスラストワッシャー１８、スペーサー２２との間で押潰され、ソロバン玉形状の軟質ゴム又は軟質樹脂製のシールパッキン１９の外周はスリーブ１７の内周面に密接すると共に、シールパッキン１９の孔に挿入されている試料体の茎部の周りに密接する。
【００２５】
このようにプレッシャーチャンバー内部１３を密封状態にした後、圧気源接続口４に接続したボンベなどの圧気源から流量調整弁３を調整しながら開けてプレッシャーチャンバー内部１３に圧力気体を徐々に注入してプレッシャーチャンバー内部１３を加圧していき、プレッシャーチャンバー内部１３がある圧力になったときに、プレッシャーチャンバー１から突出した試料体の茎部の先端の切り口から試料体の毛細導管内にある水分が滲出してくる。この試料体の茎部の茎先から水が滲出した瞬間の圧力を圧力計２で読取り、この圧力値を水ポテンシャルとするものである。そして、試料体の計測後は、プレッシャーチャンバーに連結した導管６の圧気放出弁７によりプレッシャーチャンバー内部１３の圧力気体を開放する。
【００２６】
このように、本発明の携帯用プレッシャーチャンバー装置では、プレッシャーチャンバー１をチタン合金で構成することにより、プレッシャーチャンバーの耐圧性がより向上すると共に、従来のプレッシャーチャンバーに比してより軽量であることから野外作業での携帯性も良く、また、プレッシャーチャンバー１の形状を水平断面が楕円形状の筒体とすることにより、従来のプレッシャーチャンバーが円筒体であるのに比して、プレッシャーチャンバーの内容積を小さくし、使用する圧力気体量を削減することができるので、野外での計測の際に予備のためのボンベの携帯数を減らすことができ、また、従来と同じ数のボンベの携帯でも、より長期の野外作業を行うことができる。
【実施例２】
【００２７】
次に、本発明の第２実施例である携帯用プレッシャーチャンバー装置のプレッシャーチャンバーを図６によって説明する。プレッシャーチャンバー１をチタン合金で構成すると共に、プレッシャーチャンバー側壁１０、１０の内壁面に夫々膨出部２７、２７を形成し、水ポテンシャルを計測しようとする試料体をプレッシャーチャンバー側壁１０に形成した膨出部２７と膨出部２７の間にセットすることにより、試料体の水ポテンシャルを計測するもので、前記実施例１と同様、プレッシャーチャンバー１の耐圧性と軽量化を図ることができる。また、プレッシャーチャンバー側壁１０の内壁面に膨出部２７を形成することによりプレッシャーチャンバー１の形状を水平断面が楕円形状の筒体としたものに比して、使用する圧力気体の量をより削減することができ、野外での計測の際に携帯する圧力気体の入ったボンベの数を減らすことができる。
【実施例３】
【００２８】
次に、本発明の第３実施例である携帯用プレッシャーチャンバー装置のプレッシャーチャンバーを図７によって説明する。プレッシャーチャンバー１をチタン合金で構成すると共に、プレッシャーチャンバー側壁１０、１０の内壁面に夫々向かい合う一対の係止体２８、２８を形成し、この向かい合う一対の係止体２８、２８の間に膨出体２９を挟んで係止することにより、試料体の水ポテンシャルを計測するもので、前記実施例１と同様、プレッシャーチャンバー１の耐圧性と軽量化を図ることができる。また、計測しようとする試料体の大きさにより膨出体２９をセットしたり取り外したりすることで、使用する圧力気体の量を加減することができる。また、膨出体２９を中空体としてもよく、中空体とすることによりプレッシャーチャンバー１の重量をより軽量とすることができると共に、野外での計測の際に携帯する圧力気体の入ったボンベの数を減らすことができる。
【図面の簡単な説明】
【００２９】
【図１】本発明の携帯用プレッシャーチャンバー装置の配置図である。
【図２】本発明のプレッシャーチャンバーの模式断面図である。
【図３】本発明のプレッシャーチャンバーの上端と蓋体とのクランプバンドの平面図である。
【図４】プレッシャーチャンバーの蓋上面に取付けられるスリーブ、シールパッキン、スペーサー、スラストワッシャーの側面図である。
【図５】押さえ具の模式断面図である。
【図６】本発明の第２実施例のプレッシャーチャンバーの水平断面図である。
【図７】本発明の第３実施例のプレッシャーチャンバーの水平断面図である。
【図８】従来公知の携帯用プレッシャーチャンバー装置の外観写真である。
【図９】図８のプレッシャーチャンバー装置の配置図である。
【符号の説明】
【００３０】
Ａ    本発明の携帯用プレッシャーチャンバー装置
１    プレッシャーチャンバー
２    圧力計
３    流量調整弁
４    圧気源接続口
５    導管
６    導管
７    圧気放出弁
８    クイックカップラー
９    底板
１０  プレッシャーチャンバー側壁
１１  孔
１２  フランジ
１３  プレッシャーチャンバー内部
１４  蓋体
１５  蓋体フランジ
１６  クランプバンド
１７  スリーブ
１８  スラストワッシャー
１９  シールパッキン
２０  押さえ具
２１  試料体孔隙部
２２  スペーサー
２３  ピン
２４  押さえ体
２５  ピン
２６  締結具
２７  膨出部
２８  係止体
２９  膨出体
３０  凸条体
【図１】
2008122221.tif 000003
【図２】
2008122221.tif 000004
【図３】
2008122221.tif 000005
【図４】
2008122221.tif 000006
【図５】
2008122221.tif 000007
【図６】
2008122221.tif 000008
【図７】
2008122221.tif 000009
【図８】
2008122221.tif 000010
【図９】
2008122221.tif 000011